(57)【要約】【課題】水中に溶けた水素の含有量を大幅に増やす、水素発生装置の微細気泡発生器及びそれを含む微細気泡発生装置を提供する。【解決手段】水素発生装置の微細気泡発生器は、筐体１１及び微細気泡発生ユニット１２を備える。筐体１１は、互いに接続された第１のカバー１１１及び第２のカバー１１２を有する。第１のカバー１１１の両端には、水素水入口１１１１及び第１の接続口がそれぞれ設けられる。第２のカバー１１２の両端には、水素水出口１１２１及び第２の接続口がそれぞれ設けられる。第１の接続口には、第２の接続口が接続される。微細気泡発生ユニット１２は、微細チャネル１２１を有するとともに、筐体１１内に設けられ、微細気泡発生ユニット１２の外壁面と、筐体１１の内壁面とが接合され、微細チャネル１２１が水素水入口１１１１及び水素水出口１１２１と連通する。【選択図】図２
0003217792.tif 000002
【実用新案登録請求の範囲】
【請求項１】
筐体及び微細気泡発生ユニットを備えた水素発生装置の微細気泡発生器であって、
前記筐体は、互いに接続された第１のカバー及び第２のカバーを有し、前記第１のカバーの両端には、水素水入口及び第１の接続口がそれぞれ設けられ、前記第２のカバーの両端には、水素水出口及び第２の接続口がそれぞれ設けられ、前記第１の接続口には、前記第２の接続口が接続され、
前記微細気泡発生ユニットは、微細チャネルを有するとともに、前記筐体内に設けられ、前記微細気泡発生ユニットの外壁面と、前記筐体の内壁面とが接合され、前記微細チャネルは、前記水素水入口及び前記水素水出口と連通することを特徴とする水素発生装置の微細気泡発生器。
【請求項２】
前記第１のカバーの前記水素水入口の内側には、第１のリング状ストッパ面が設けられ、
前記第２のカバーの前記第２の接続口には、第２のリング状ストッパ面が設けられ、
前記微細気泡発生ユニットは、前記第１のリング状ストッパ面と前記第２のリング状ストッパ面との間に設けられることを特徴とする請求項１に記載の水素発生装置の微細気泡発生器。
【請求項３】
前記第１の接続口の内側には、雌ねじ部が設けられ、
前記第２の接続口の外側には、雄ねじ部が設けられ、
前記雌ねじ部は、前記雄ねじ部に接続されることを特徴とする請求項１に記載の水素発生装置の微細気泡発生器。
【請求項４】
球体をさらに備え、
前記筐体内には、収容チャネルが形成され、
前記収容チャネルは、前記水素水入口と前記微細チャネルとの間に位置し、
前記球体は、前記収容チャネルに可動可能に設けられることを特徴とする請求項１に記載の水素発生装置の微細気泡発生器。
【請求項５】
前記収容チャネルは、前記第１のカバー内に位置し、
前記収容チャネルは、前記水素水入口に対向する一側に引き込み側が設けられるとともに、前記第１の接続口に対向する一側に拡張側が設けられることを特徴とする請求項４に記載の水素発生装置の微細気泡発生器。
【請求項６】
請求項１〜５の何れか１項に記載の水素発生装置の微細気泡発生器と、流体駆動ユニット及び流体加圧ユニットを備え、
前記流体加圧ユニットは、前記微細気泡発生器の水素水入口に接続され、
前記流体駆動ユニットは、前記流体加圧ユニットと、水素供給ユニット及び水供給ユニットと、に接続されることを特徴とする水素発生装置の微細気泡発生装置。
【請求項７】
前記微細気泡発生器と前記水供給ユニットとの間に接続された加熱ユニットをさらに備えることを特徴とする請求項６に記載の水素発生装置の微細気泡発生装置。
【請求項８】
一端が前記微細気泡発生器と前記流体加圧ユニットとの間に接続され、他端が前記水供給ユニットと前記流体駆動ユニットとの間に接続された戻り管路をさらに備えることを特徴とする請求項６に記載の水素発生装置の微細気泡発生装置。
【請求項９】
前記微細気泡発生器の前記水素水入口の外側に接続された第１の制御バルブをさらに備えることを特徴とする請求項６に記載の水素発生装置の微細気泡発生装置。
【請求項１０】
前記戻り管路に接続された第２の制御バルブをさらに備えることを特徴とする請求項８に記載の水素発生装置の微細気泡発生装置。
【考案の詳細な説明】
【技術分野】
【０００１】
本考案は、水素発生装置の微細気泡発生器及びそれを含む微細気泡発生装置に関し、特に、水中に溶けた水素の含有量を大幅に増やす、水素発生装置の微細気泡発生器及びそれを含む微細気泡発生装置に関する。
【背景技術】
【０００２】
日常生活では、炭酸飲料、コーラ、炭酸水、水素水、養殖用水など、液ガス混合に触れることが多い。しかし、一般の液ガス混合の大部分は、ガスを液体に注入し、ガスが液体から抜けて液体内のガス含有量が減ってしまうことが多かった（特に水素水）。
【０００３】
そのため、水中に溶けた水素の含有量を大幅に増やす、水素発生装置の微細気泡発生器及びそれを含む微細気泡発生装置が求められていた。
【考案の概要】
【考案が解決しようとする課題】
【０００４】
本考案の目的は、水中に溶けた水素の含有量を大幅に増やす、水素発生装置の微細気泡発生器及びそれを含む微細気泡発生装置を提供することにある。
【課題を解決するための手段】
【０００５】
上記課題を解決するために、本考案の第１の形態によれば、筐体及び微細気泡発生ユニットを備えた水素発生装置の微細気泡発生器であって、前記筐体は、互いに接続された第１のカバー及び第２のカバーを有し、前記第１のカバーの両端には、水素水入口及び第１の接続口がそれぞれ設けられ、前記第２のカバーの両端には、水素水出口及び第２の接続口がそれぞれ設けられ、前記第１の接続口には、前記第２の接続口が接続され、前記微細気泡発生ユニットは、微細チャネルを有するとともに、前記筐体内に設けられ、前記微細気泡発生ユニットの外壁面と、前記筐体の内壁面とが接合され、前記微細チャネルは、前記水素水入口及び前記水素水出口と連通することを特徴とする水素発生装置の微細気泡発生器が提供される。
【０００６】
前記第１のカバーの前記水素水入口の内側には、第１のリング状ストッパ面が設けられ、前記第２のカバーの前記第２の接続口には、第２のリング状ストッパ面が設けられ、前記微細気泡発生ユニットは、前記第１のリング状ストッパ面と前記第２のリング状ストッパ面との間に設けられることが好ましい。
【０００７】
前記第１の接続口の内側には、雌ねじ部が設けられ、前記第２の接続口の外側には、雄ねじ部が設けられ、前記雌ねじ部は、前記雄ねじ部に接続されることが好ましい。
【０００８】
球体をさらに備え、前記筐体内には、収容チャネルが形成され、前記収容チャネルは、前記水素水入口と前記微細チャネルとの間に位置し、前記球体は、前記収容チャネルに可動可能に設けられることが好ましい。
【０００９】
前記収容チャネルは、前記第１のカバー内に位置し、前記収容チャネルは、前記水素水入口に対向する一側に引き込み側が設けられるとともに、前記第１の接続口に対向する一側に拡張側が設けられることが好ましい。
【００１０】
前記水素発生装置の微細気泡発生器と、流体駆動ユニット及び流体加圧ユニットを備え、前記流体加圧ユニットは、前記微細気泡発生器の水素水入口に接続され、前記流体駆動ユニットは、前記流体加圧ユニットと、水素供給ユニット及び水供給ユニットと、に接続されることが好ましい。
【００１１】
前記微細気泡発生器と前記水供給ユニットとの間に接続された加熱ユニットをさらに備えることが好ましい。
【００１２】
一端が前記微細気泡発生器と前記流体加圧ユニットとの間に接続され、他端が前記水供給ユニットと前記流体駆動ユニットとの間に接続された戻り管路をさらに備えることが好ましい。
【００１３】
前記微細気泡発生器の前記水素水入口の外側に接続された第１の制御バルブをさらに備えることが好ましい。
【００１４】
前記戻り管路に接続された第２の制御バルブをさらに備えることが好ましい。
【考案の効果】
【００１５】
本考案の水素発生装置の微細気泡発生器及びそれを含む微細気泡発生装置は、水素及び水を流体駆動ユニットにより混合してから流体加圧ユニットで加圧し、微細気泡発生器から出力し、水中に溶けた水素の含有量を高めることができる。
【図面の簡単な説明】
【００１６】
【図１】図１は、本考案の一実施形態に係る水素発生装置の微細気泡発生器を示す斜視図である。
【図２】図２は、図１の断面図である。
【図３】図３は、図２のａ部分の部分拡大図である。
【図４】図４は、本考案の一実施形態に係る水素発生装置の微細気泡発生器を示す分解斜視図である。
【図５】図５は、図４の断面図である。
【図６】図６は、本考案の一実施形態に係る水素発生装置の微細気泡発生装置を示す斜視図である。
【考案を実施するための形態】
【００１７】
以下、本考案の目的、特徴及び効果をより分かりやすくするために、具体的な実施形態について図に基づいて詳しく説明する。
【００１８】
図１〜図５を参照する。図１〜図５に示すように、本考案の一実施形態に係る水素発生装置の微細気泡発生器１は、少なくとも筐体１１及び微細気泡発生ユニット１２から構成されてなる。
【００１９】
筐体１１は、円形管体である上、互いに接続された第１のカバー１１１及び第２のカバー１１２を有する。第１のカバー１１１の両端には、水素水入口１１１１及び第１の接続口１１１２がそれぞれ設けられる。第２のカバー１１２の両端には、水素水出口１１２１及び第２の接続口１１２２がそれぞれ設けられる。第１の接続口１１１２には、第２の接続口１１２２が接続される。
【００２０】
微細気泡発生ユニット１２は、微細チャネル１２１を有する円形柱体である。微細気泡発生ユニット１２は、筐体１１内に配設され、微細気泡発生ユニット１２の外壁面と、筐体１１の内壁面とが接合され、微細チャネル１２１が水素水入口１１１１及び水素水出口１１２１と連通する。
【００２１】
本実施形態の水素発生装置の微細気泡発生器１は、水素及び水が第１のカバー１１１の水素水入口１１１１を介して筐体１１に進入し、微細気泡発生ユニット１２の微細チャネル１２１を介し、第２のカバー１１２の水素水出口１１２１から出力される。水素及び水が微細チャネル１２１を通過すると、水素が微細チャネル１２１により圧縮され、多くの微細気泡が形成されて水素水中に溶けた水素の含有量を高め、水素と水とが微細気泡発生器１から出力された後、多くの微細気泡を含む水素水が作られる。
【００２２】
本実施形態において、第１のカバー１１１の水素水入口１１１１の内側には、第１のリング状ストッパ面１１３が設けられる。第２のカバー１１２の第２の接続口１１２２は、第２のリング状ストッパ面１１４を有してもよい。微細気泡発生ユニット１２は、第１のリング状ストッパ面１１３と第２のリング状ストッパ面１１４との間に設けられる。そのため、本実施形態の水素発生装置の微細気泡発生器１は、微細気泡発生ユニット１２を筐体１１内に強固に取付けることができる。
【００２３】
本実施形態において、第１の接続口１１１２の内側には、雌ねじ部１１５が設けられる。第２の接続口１１２２の外側には、雄ねじ部１１６が設けられる。雌ねじ部１１５は、雄ねじ部１１６に接続される。そのため、本実施形態の水素発生装置の微細気泡発生器１は、第１のカバー１１１及び第２のカバー１１２により、雌ねじ部１１５と雄ねじ部１１６とを着脱自在に組立て、第１のカバー１１１と第２のカバー１１２とを強固かつ容易に組み合わせたり、第１のカバー１１１と第２のカバー１１２とを容易に分離させたりすることができるため、微細気泡発生ユニット１２を都合よく交換することができる。
【００２４】
本実施形態において、微細気泡発生器１は球体１３をさらに含む上、筐体１１は収容チャネル１１７を有する。収容チャネル１１７は、水素水入口１１１１と微細チャネル１２１との間に位置する。球体１３は、収容チャネル１１７に可動可能に設けられる。また、収容チャネル１１７は、第１のカバー１１１内に位置する。収容チャネル１１７は、水素水入口１１１１に対向する一側に引き込み側１１８が設けられ、第１の接続口１１１２に対向する一側に拡張側１１９が設けられる。球体１３は、第１の接続口１１１２を介して第１のカバー１１１に配設された後、拡張側１１９を介して収容チャネル１１７に進入された後、球体１３が引き込み側１１８により係止される。本実施形態の水素発生装置の微細気泡発生器１は、水素及び水が第１のカバー１１１の水素水入口１１１１を介して筐体１１に進入すると、まず、収容チャネル１１７中の球体１３を通過し、水素及び水が球体１３の表面から微細気泡発生ユニット１２の微細チャネル１２１へ流れてから、第２のカバー１１２の水素水出口１１２１から出力される。水素及び水が球体１３の表面を通過すると、水素水中の水素と水とが均一に混合された後、微細チャネル１２１により圧縮されて水素に多くの微細気泡が発生し、水素水の水中に溶けた水素の含有量を高め、水素及び水が微細気泡発生器１から出力された後、多くの微細気泡が含まれた水素水が作られる。
【００２５】
図６を参照する。図６に示すように、微細気泡発生器１は、微細気泡発生装置２と組み合わせて使用することができる。微細気泡発生装置２は、微細気泡発生器１、流体駆動ユニット２１及び流体加圧ユニット２２を含む。流体加圧ユニット２２は、微細気泡発生器１の水素水入口１１１１に接続された圧力槽でもよい。流体駆動ユニット２１は、流体加圧ユニット２２と接続されたポンプでもよい。流体駆動ユニット２１は、水素供給ユニット２３及び水供給ユニット２４と接続される。水素供給ユニット２３は、絶縁ハウジング及びプロトン交換膜を有する装置でもよい。水素供給ユニット２３は、水素発生部材（又は固体電解槽）でもよい。水素供給ユニット２３は水素を供給する。水供給ユニット２４は飲用水を供給する。また、微細気泡発生装置２において、流体加圧ユニット２２の位置と流体駆動ユニット２１の位置とは交換可能である。
【００２６】
本実施形態の水素発生装置の微細気泡発生装置２を実際に使用する際、水素供給ユニット２３は水素を供給し、水供給ユニット２４は水を供給する。水素及び水は、流体駆動ユニット２１により混合された後に流体加圧ユニット２２へ出力される。流体加圧ユニット２２は、高圧で水素及び水を加圧した後、水素及び水を微細気泡発生器１の水素水入口１１１１へ進入させるとともに、微細気泡発生ユニット１２の微細チャネル１２１を経た後、微細気泡発生器１の水素水出口１１２１から出力される。そのため、本実施形態の水素発生装置の微細気泡発生装置２は、流体駆動ユニット２１、流体加圧ユニット２２及び微細気泡発生器１により水中に溶けた水素の含有量を増やすとともに、水素及び水が微細気泡発生器１から出力された後にも多くの微細気泡を含む水素水を作ることができる。
【００２７】
本実施形態において、微細気泡発生装置２は加熱ユニット２５をさらに含んでもよい。加熱ユニット２５を水供給ユニット２４に接続した後、加熱ユニット２５を流体駆動ユニット２１と流体加圧ユニット２２との間に設けたり、流体加圧ユニット２２と微細気泡発生器１との間に設けたりしてもよい。加熱ユニット２５は、水供給ユニット２４が供給する水を飲用者が飲用するのに最適な温度まで加熱することができる（特に、寒い季節又は地域において）。また、加熱ユニット２５は、水供給ユニット２４が供給する水を適切な温度まで加熱するとともに、高すぎる水温により水素が速やかに散逸してしまうことを防ぎ、水素水中に溶けた水素の含有量を安定させることができる。
【００２８】
本実施形態において、微細気泡発生装置２は、戻り管路２６をさらに含んでもよい。戻り管路２６は、一端が微細気泡発生器１と流体加圧ユニット２２との間に接続され、他端が水供給ユニット２４と流体駆動ユニット２１との間に接続され、戻り管路２６により微細気泡発生器１が使用していない水素及び水を流体駆動ユニット２１前へ還流させることができ、実使用のニーズに合う。
【００２９】
本実施形態において、微細気泡発生装置２は、第１の制御バルブ２７（例えば電磁弁）及び第２の制御バルブ２８（例えば電磁弁）をさらに含んでもよい。第１の制御バルブ２７は、微細気泡発生器１の水素水入口１１１１に接続される。第２の制御バルブ２８は、戻り管路２６に接続される。このように、本実施形態の微細気泡発生装置２は、第１の制御バルブ２７及び第２の制御バルブ２８により水素及び水の流動方式を制御することができる。
【００３０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３１】
１  微細気泡発生器
２  微細気泡発生装置
１１  筐体
１２  微細気泡発生ユニット
１３  球体
２１  流体駆動ユニット
２２  流体加圧ユニット
２３  水素供給ユニット
２４  水供給ユニット
２５  加熱ユニット
２６  戻り管路
２７  第１の制御バルブ
２８  第２の制御バルブ
１１１  第１のカバー
１１２  第２のカバー
１１３  第１のリング状ストッパ面
１１４  第２のリング状ストッパ面
１１５  雌ねじ部
１１６  雄ねじ部
１１７  収容チャネル
１１８  引き込み側
１１９  拡張側
１２１  微細チャネル
１１１１  水素水入口
１１１２  第１の接続口
１１２１  水素水出口
１１２２  第２の接続口
【図１】
0003217792.tif 000003
【図２】
0003217792.tif 000004
【図３】
0003217792.tif 000005
【図４】
0003217792.tif 000006
【図５】
0003217792.tif 000007
【図６】
0003217792.tif 000008